(57)【特許請求の範囲】
【請求項１】
無線ＬＡＮシステムの複数のアクセスポイントがそれぞれＥＤＣＡ優先制御を実行する無線ＬＡＮ優先制御方法において、
前記各アクセスポイントは、そのＭＡＣアドレスと、使用周波数と、認識できる端末のＭＡＣアドレスと、認識できる端末の受信レベルと、認識できる端末の接続有無と、接続中の端末の主な通信のアクセスカテゴリーおよびトラフィック量を、前記各アクセスポイントで共有するデータベースに通知し、
前記データベースは、前記各アクセスポイントから通知された情報を登録し、前記各アクセスポイントからの問い合わせに対して登録情報を通知し、
前記各アクセスポイントは、前記データベースに登録情報を問い合わせ、同一の周波数を利用し、かつ、その通信エリアが重複しているアクセスポイントを判別し、当該アクセスポイントに接続している端末の主な通信のアクセスカテゴリーおよびトラフィック量を取得して共有し、共有している端末の当該情報を用いて前記ＥＤＣＡ優先制御のパラメータを算出し、算出したパラメータを基に前記ＥＤＣＡ優先制御を実行する
ことを特徴とする無線ＬＡＮ優先制御方法。
【請求項２】
無線ＬＡＮシステムの複数のアクセスポイントがそれぞれＥＤＣＡ優先制御を実行する無線ＬＡＮ優先制御方法において、
前記各アクセスポイントは、そのＭＡＣアドレスと、使用周波数と、認識できる端末のＭＡＣアドレスと、認識できる端末の受信レベルと、認識できる端末の接続有無と、接続中の端末の主な通信のアクセスカテゴリーおよびトラフィック量を、前記各アクセスポイントで共有するデータベースに通知し、
前記データベースは、前記各アクセスポイントから通知された情報を登録し、前記各アクセスポイントからの問い合わせに対して登録情報を通知し、
前記各アクセスポイントは、前記データベースに登録情報を問い合わせ、同一の周波数を利用し、かつ、その通信エリアが重複しているアクセスポイントを判別し、当該アクセスポイントに接続している端末の主な通信のアクセスカテゴリーおよびトラフィック量を取得し、共有する端末の当該情報を前記データベースに登録し、
前記データベースは、各アクセスポイントごとに共有している端末の当該情報を用いて前記ＥＤＣＡ優先制御のパラメータを算出し、算出したパラメータを前記各アクセスポイントに通知し、
前記各アクセスポイントは、通知されたパラメータを基に前記ＥＤＣＡ優先制御を実行する
ことを特徴とする無線ＬＡＮ優先制御方法。
【請求項３】
複数のアクセスポイントがそれぞれＥＤＣＡ優先制御を実行する無線ＬＡＮシステムにおいて、
前記複数のアクセスポイントに接続され、各アクセスポイントからの通知によりそのＭＡＣアドレスと、使用周波数と、認識できる端末のＭＡＣアドレスと、認識できる端末の受信レベルと、認識できる端末の接続有無と、接続中の端末の主な通信のアクセスカテゴリーおよびトラフィック量を登録し、各アクセスポイントからの問い合わせに対して登録情報を通知するデータベースを備え、
前記各アクセスポイントは、前記データベースに登録情報を問い合わせ、同一の周波数を利用し、かつ、その通信エリアが重複しているアクセスポイントを判別し、当該アクセスポイントに接続している端末の主な通信のアクセスカテゴリーおよびトラフィック量を取得して共有し、共有している端末の当該情報を用いて前記ＥＤＣＡ優先制御のパラメータを算出し、算出したパラメータを基に前記ＥＤＣＡ優先制御を実行する構成である
ことを特徴とする無線ＬＡＮシステム。
【請求項４】
複数のアクセスポイントがそれぞれＥＤＣＡ優先制御を実行する無線ＬＡＮシステムにおいて、
前記複数のアクセスポイントに接続され、各アクセスポイントからの通知によりそのＭＡＣアドレスと、使用周波数と、認識できる端末のＭＡＣアドレスと、認識できる端末の受信レベルと、認識できる端末の接続有無と、接続中の端末の主な通信のアクセスカテゴリーおよびトラフィック量を登録し、各アクセスポイントからの問い合わせに対して登録情報を通知するデータベースを備え、
前記各アクセスポイントは、前記データベースに登録情報を問い合わせ、同一の周波数を利用し、かつ、その通信エリアが重複しているアクセスポイントを判別し、当該アクセスポイントに接続している端末の主な通信のアクセスカテゴリーおよびトラフィック量を取得し、共有する端末の当該情報を前記データベースに登録し、さらに前記データベースから通知されたパラメータを基に前記ＥＤＣＡ優先制御を実行する構成であり、
前記データベースは、各アクセスポイントごとに共有している端末の当該情報を用いて前記ＥＤＣＡ優先制御のパラメータを算出し、算出したパラメータを前記各アクセスポイントに通知する構成である
ことを特徴とする無線ＬＡＮシステム。
【請求項５】
複数のアクセスポイントがそれぞれＥＤＣＡ優先制御を実行する無線ＬＡＮシステムのアクセスポイント装置において、
前記アクセスポイントのＭＡＣアドレスと、使用周波数と、認識できる端末のＭＡＣアドレスと、認識できる端末の受信レベルと、認識できる端末の接続有無と、接続中の端末の主な通信のアクセスカテゴリーおよびトラフィック量を、前記複数のアクセスポイントで共有するデータベースに通知する端末情報処理手段と、
前記データベースに登録情報を問い合わせ、同一の周波数を利用し、かつ、その通信エリアが重複しているアクセスポイントを判別し、当該アクセスポイントに接続している端末の主な通信のアクセスカテゴリーおよびトラフィック量を取得して共有し、共有している端末の当該情報を用いて前記ＥＤＣＡ優先制御のパラメータを算出し、算出したパラメータを基に前記ＥＤＣＡ優先制御を実行するＥＤＣＡ優先制御手段と
を備えたことを特徴とするアクセスポイント装置。
【請求項６】
複数のアクセスポイントがそれぞれＥＤＣＡ優先制御を実行する無線ＬＡＮシステムのアクセスポイント装置において、
前記アクセスポイントのＭＡＣアドレスと、使用周波数と、認識できる端末のＭＡＣアドレスと、認識できる端末の受信レベルと、認識できる端末の接続有無と、接続中の端末の主な通信のアクセスカテゴリーおよびトラフィック量を、前記各アクセスポイントで共有するデータベースに通知する端末情報処理手段と、
前記データベースに登録情報を問い合わせ、同一の周波数を利用し、かつ、その通信エリアが重複しているアクセスポイントを判別し、当該アクセスポイントに接続している端末の主な通信のアクセスカテゴリーおよびトラフィック量を取得し、共有する端末の当該情報を前記データベースに登録し、前記データベースが前記各アクセスポイントごとに共有している端末の当該情報を用いて算出した前記ＥＤＣＡ優先制御のパラメータを受領し、前記ＥＤＣＡ優先制御を実行するＥＤＣＡ優先制御手段と
を備えたことを特徴とするアクセスポイント装置。
【発明の詳細な説明】
【技術分野】
【０００１】
本発明は、同一の周波数を利用する複数のアクセスポイント間で協調して無線ＬＡＮの優先制御を行う無線ＬＡＮ優先制御方法、無線ＬＡＮシステムおよびアクセスポイント装置に関する。
【背景技術】
【０００２】
単一のアクセスポイントでは、利用アプリケーションによって優先制御を行う方法として、ＩＥＥＥ８０２．１１で規格化されているＥＤＣＡ（Enhanced Distributed Channel Access)優先制御がある。ＥＤＣＡ優先制御では、伝送するデータをパケットごとに
BackGround、BestEffort、Video 、Voice 
の各アクセスカテゴリーに分類し、そのアクセスカテゴリーごとに決められたＡＩＦＳ（フレーム送信間隔）、ＣＷmim （コンテンションウィンドウ最小値）、ＣＷmax （コンテンションウィンドウ最大値）、ＴＸＯＰ（チャネル送信期間）のＥＤＣＡパラメータを基に、各データの送信待機時間等を決定して優先制御が実行される。
【０００３】
各アクセスカテゴリーのＥＤＣＡパラメータの値は、アクセスポイントごとに保持し、アクセスポイントごとに独立に設定・変更することが可能である。また、効率的な通信を行うには、対応するアプリケーションを使用する端末の台数や通信量に応じて、各アクセスカテゴリーのＥＤＣＡパラメータの値を変更することが望ましい。
【先行技術文献】
【非特許文献】
【０００４】
【非特許文献１】IEEE Std 802.11nTM-2009,“9.9.1 HCF contention-based channel access (EDCA)”
【発明の概要】
【発明が解決しようとする課題】
【０００５】
単一のアクセスポイントにおいて、利用アプリケーションによって優先制御を行うことは可能である。しかし、図８に示すように、複数のアクセスポイントが同一の周波数を利用し、かつ、その通信エリアが重複している場合において、各アクセスポイントに接続している端末に対してそれぞれ独立にＥＤＣＡ優先制御を実行すると、本来優先して通信が行われるべき端末が優先されない事象が発生する。すなわち、各アクセスポイントに与えられる送信機会は均等であるが、各アクセスポイントが自身の保持するＥＤＣＡパラメータに従って独立に優先制御を行うとき、両アクセスポイントのＥＤＣＡパラメータが異なれば、本来優先して通信が行われるべき端末が優先されない事象が発生する。
【０００６】
例えば、アクセスカテゴリー：Video に属する通信を行う端末ＳＴＡ−ＡがアクセスポイントＡＰ−Ａと接続し、アクセスカテゴリー：BestEffortに属する通信を行う端末ＳＴＡ−ＢがアクセスポイントＡＰ−Ｂと接続している場合において、アクセスポイントＡＰ−Ａにおけるアクセスカテゴリー：Video のＥＤＣＡパラメータが、アクセスポイントＡＰ−Ｂにおけるアクセスカテゴリー：BestEffortのＥＤＣＡパラメータより非優先な値になっていると仮定すると、端末ＳＴＡ−Ｂと比較して本来優先的に通信を実施したい端末ＳＴＡ−Ａの通信が優先されない事象が発生する。
【０００７】
また、ＥＤＣＡパラメータは、各アプリケーションを使用する端末の台数等で最も効率的な値が変わるが、その影響は、１台のアクセスポイントに接続している端末だけでなく、同一の周波数を利用し、かつ、その通信エリアが重複している他のアクセスポイントに接続している端末の台数によっても受けるため、１台のアクセスポイントに接続している端末の台数によって優先制御を実行した場合、想定していた優先制御が働かない状況が発生しうる。
【０００８】
本発明は、複数のアクセスポイントが同一の周波数を利用し、かつ、その通信エリアが重複している場合に、各アクセスポイントに接続している端末に対し、それぞれ利用アプリケーションに応じた優先制御を確実に行うことができる無線ＬＡＮ優先制御方法、無線ＬＡＮシステムおよびアクセスポイント装置を提供することを目的とする。
【課題を解決するための手段】
【００１０】
第１の１の発明は、無線ＬＡＮシステムの複数のアクセスポイントがそれぞれＥＤＣＡ優先制御を実行する無線ＬＡＮ優先制御方法において、各アクセスポイントは、そのＭＡＣアドレスと、使用周波数と、認識できる端末のＭＡＣアドレスと、認識できる端末の受信レベルと、認識できる端末の接続有無と、接続中の端末の主な通信のアクセスカテゴリーおよびトラフィック量を、各アクセスポイントで共有するデータベースに通知し、データベースは、各アクセスポイントから通知された情報を登録し、各アクセスポイントからの問い合わせに対して登録情報を通知し、各アクセスポイントは、データベースに登録情報を問い合わせ、同一の周波数を利用し、かつ、その通信エリアが重複しているアクセスポイントを判別し、当該アクセスポイントに接続している端末の主な通信のアクセスカテゴリーおよびトラフィック量を取得して共有し、共有している端末の当該情報を用いてＥＤＣＡ優先制御のパラメータを算出し、算出したパラメータを基にＥＤＣＡ優先制御を実行する。
【００１１】
第１の２の発明は、無線ＬＡＮシステムの複数のアクセスポイントがそれぞれＥＤＣＡ優先制御を実行する無線ＬＡＮ優先制御方法において、各アクセスポイントは、そのＭＡＣアドレスと、使用周波数と、認識できる端末のＭＡＣアドレスと、認識できる端末の受信レベルと、認識できる端末の接続有無と、接続中の端末の主な通信のアクセスカテゴリーおよびトラフィック量を、各アクセスポイントで共有するデータベースに通知し、データベースは、各アクセスポイントから通知された情報を登録し、各アクセスポイントからの問い合わせに対して登録情報を通知し、各アクセスポイントは、データベースに登録情報を問い合わせ、同一の周波数を利用し、かつ、その通信エリアが重複しているアクセスポイントを判別し、当該アクセスポイントに接続している端末の主な通信のアクセスカテゴリーおよびトラフィック量を取得し、共有する端末の当該情報をデータベースに登録し、データベースは、各アクセスポイントごとに共有している端末の当該情報を用いてＥＤＣＡ優先制御のパラメータを算出し、算出したパラメータを各アクセスポイントに通知し、各アクセスポイントは、通知されたパラメータを基にＥＤＣＡ優先制御を実行する。
【００１２】
第２の発明は、複数のアクセスポイントがそれぞれＥＤＣＡ優先制御を実行する無線ＬＡＮシステムにおいて、複数のアクセスポイントに接続され、各アクセスポイントからの通知によりそのＭＡＣアドレスと、使用周波数と、認識できる端末のＭＡＣアドレスと、認識できる端末の受信レベルと、認識できる端末の接続有無と、接続中の端末の主な通信のアクセスカテゴリーおよびトラフィック量を登録し、各アクセスポイントからの問い合わせに対して登録情報を通知するデータベースを備え、各アクセスポイントは、データベースに登録情報を問い合わせ、同一の周波数を利用し、かつ、その通信エリアが重複しているアクセスポイントを判別し、当該アクセスポイントに接続している端末の主な通信のアクセスカテゴリーおよびトラフィック量を取得して共有し、共有している端末の当該情報を用いてＥＤＣＡ優先制御のパラメータを算出し、算出したパラメータを基にＥＤＣＡ優先制御を実行する構成である。
【００１３】
第３の発明は、複数のアクセスポイントがそれぞれＥＤＣＡ優先制御を実行する無線ＬＡＮシステムにおいて、複数のアクセスポイントに接続され、各アクセスポイントからの通知によりそのＭＡＣアドレスと、使用周波数と、認識できる端末のＭＡＣアドレスと、認識できる端末の受信レベルと、認識できる端末の接続有無と、接続中の端末の主な通信のアクセスカテゴリーおよびトラフィック量を登録し、各アクセスポイントからの問い合わせに対して登録情報を通知するデータベースを備え、各アクセスポイントは、データベースに登録情報を問い合わせ、同一の周波数を利用し、かつ、その通信エリアが重複しているアクセスポイントを判別し、当該アクセスポイントに接続している端末の主な通信のアクセスカテゴリーおよびトラフィック量を取得し、共有する端末の当該情報をデータベースに登録し、さらにデータベースから通知されたパラメータを基にＥＤＣＡ優先制御を実行する構成であり、データベースは、各アクセスポイントごとに共有している端末の当該情報を用いてＥＤＣＡ優先制御のパラメータを算出し、算出したパラメータを各アクセスポイントに通知する構成である。
【００１４】
第４の発明は、複数のアクセスポイントがそれぞれＥＤＣＡ優先制御を実行する無線ＬＡＮシステムのアクセスポイント装置において、アクセスポイントのＭＡＣアドレスと、使用周波数と、認識できる端末のＭＡＣアドレスと、認識できる端末の受信レベルと、認識できる端末の接続有無と、接続中の端末の主な通信のアクセスカテゴリーおよびトラフィック量を、複数のアクセスポイントで共有するデータベースに通知する端末情報処理手段と、データベースに登録情報を問い合わせ、同一の周波数を利用し、かつ、その通信エリアが重複しているアクセスポイントを判別し、当該アクセスポイントに接続している端末の主な通信のアクセスカテゴリーおよびトラフィック量を取得して共有し、共有している端末の当該情報を用いてＥＤＣＡ優先制御のパラメータを算出し、算出したパラメータを基にＥＤＣＡ優先制御を実行するＥＤＣＡ優先制御手段とを備える。
【００１５】
第５の発明は、複数のアクセスポイントがそれぞれＥＤＣＡ優先制御を実行する無線ＬＡＮシステムのアクセスポイント装置において、アクセスポイントのＭＡＣアドレスと、使用周波数と、認識できる端末のＭＡＣアドレスと、認識できる端末の受信レベルと、認識できる端末の接続有無と、接続中の端末の主な通信のアクセスカテゴリーおよびトラフィック量を、各アクセスポイントで共有するデータベースに通知する端末情報処理手段と、データベースに登録情報を問い合わせ、同一の周波数を利用し、かつ、その通信エリアが重複しているアクセスポイントを判別し、当該アクセスポイントに接続している端末の主な通信のアクセスカテゴリーおよびトラフィック量を取得し、共有する端末の当該情報をデータベースに登録し、データベースが各アクセスポイントごとに共有している端末の当該情報を用いて算出したＥＤＣＡ優先制御のパラメータを受領し、ＥＤＣＡ優先制御を実行するＥＤＣＡ優先制御手段とを備える。
【発明の効果】
【００１６】
本発明は、複数のアクセスポイントが同一の周波数を利用し、かつ、その通信エリアが重複している場合に、異なるアクセスポイントに接続している端末の情報（ＭＡＣアドレス、アクセスカテゴリーおよびトラフィック量）を共有し、その端末間での利用アプリケーションごとのＥＤＣＡ優先制御を実施することができる。これにより、本来優先して通信が行われるべき端末が優先されないことがあるという問題を解決することができる。
【図面の簡単な説明】
【００１７】
【図１】本発明の実施例１における無線ＬＡＮシステムの構成例を示す図である。
【図２】実施例１におけるアクセスポイント装置の構成例を示す図である。
【図３】テーブル１，テーブル２，テーブル３の一例を示す図である。
【図４】実施例１のＥＤＣＡ優先制御部２４の処理手順を示すフローチャートである。
【図５】本発明の実施例２における無線ＬＡＮシステムの構成例を示す図である。
【図６】実施例２におけるアクセスポイント装置の構成例を示す図である。
【図７】実施例２のＥＤＣＡ優先制御部２５の処理手順を示すフローチャートである。
【図８】従来の無線ＬＡＮシステムの構成例を示す図である。
【発明を実施するための形態】
【実施例１】
【００１８】
図１は、本発明の実施例１における無線ＬＡＮシステムの構成例を示す。
図１において、アクセスポイントＡＰ−Ａ，ＡＰ−Ｂ，ＡＰ−Ｃが有線ネットワークを介して相互に接続される。ネットワーク上には、全アクセスポイントからアクセス可能なデータベース１１が存在する。アクセスポイントＡＰ−Ａには端末ＳＴＡ−Ａが接続され、アクセスポイントＡＰ−Ｂには端末ＳＴＡ−Ｂが接続され、アクセスポイントＡＰ−Ｃには端末ＳＴＡ−Ｃ，ＳＴＡ−Ｄが接続される。アクセスポイントＡＰ−Ａ，ＡＰ−Ｂ，ＡＰ−Ｃは同一の周波数を使用し、かつ、その通信エリアは部分重複する。
【００１９】
データベース１１は、２種類のテーブル１およびテーブル２を管理し、アクセスポイントＡＰ−Ａ，ＡＰ−Ｂ，ＡＰ−Ｃは、それぞれ１種類のテーブル３を管理する。テーブル１，テーブル２，テーブル３の一例を図３に示す。
【００２０】
テーブル１には、アクセスポイントごとのＭＡＣアドレスと、そのアクセスポイントが使用している周波数が各々登録される。テーブル２には、アクセスポイントごとのＭＡＣアドレスと、そのアクセスポイントにおいて電波を認識できる端末ＳＴＡのＭＡＣアドレスと、その端末ＳＴＡからの電波の受信レベルと、その端末ＳＴＡの接続の有無と、接続中の端末ＳＴＡの主な通信のアクセスカテゴリーおよびトラフィック量が登録される。
【００２１】
データベース１１は、各アクセスポイントからの問合せに対して保持している情報を返し、各アクセスポイントからの登録に対して情報を保持する。アクセスポイントＡＰ−Ａ，ＡＰ−Ｂ，ＡＰ−Ｃは、電波を認識できる端末ＳＴＡを一定時間ごとに把握し、その端末ＳＴＡの情報をテーブル２に対して登録を行う。また、接続中の端末ＳＴＡの主な通信のアクセスカテゴリーおよびトラフィック量を一定時間ごとに測定し、その情報をテーブル２に対して登録を行う。
【００２２】
アクセスポイントＡＰ−Ａ，ＡＰ−Ｂ，ＡＰ−Ｃのテーブル３には、当該アクセスポイントおよび当該アクセスポイントと同一周波数を利用しかつ通信エリアが重複するアクセスポイントに接続される端末ＳＴＡのＭＡＣアドレスと、その端末ＳＴＡの一定時間内の主な通信のアクセスカテゴリーおよびトラフィック量が登録される。ここで、当該アクセスポイントと同一周波数を利用しかつ通信エリアが重複するアクセスポイントについては、以下に示す判別処理により判断される。
【００２３】
図２は、実施例１におけるアクセスポイント装置の構成例を示す。
図２において、アクセスポイントＡＰの無線ＬＡＮ通信処理部２２は、端末ＳＴＡおよび隣接するアクセスポイントＡＰが送信する信号を監視し、配下の端末ＳＴＡとの通信処理を行う。データベース通信処理部２３は、データベース１１との間で、登録および問合せの通信処理を行う。端末情報処理部２１は、アクセスポイントのＭＡＣアドレスと、使用周波数と、認識できる端末のＭＡＣアドレスと、認識できる端末の受信レベルと、認識できる端末の接続有無と、接続中の端末の主な通信のアクセスカテゴリーおよびトラフィック量を、データベース通信処理部２３を介してデータベース１１のテーブル１およびテーブル２に登録する処理を行う。
【００２４】
ＥＤＣＡ優先制御部２４は、データベース通信処理部２３を介してデータベース１１に登録情報を問い合わせ、同一の周波数を利用し、かつ、その通信エリアが重複しているアクセスポイントを判別し、当該アクセスポイントに接続している端末の主な通信のアクセスカテゴリーおよびトラフィック量を取得してテーブル３に登録し、テーブル３に登録の端末の当該情報を用いてＥＤＣＡ優先制御のパラメータを算出し、算出したパラメータを基にＥＤＣＡ優先制御を実行する。
【００２５】
図４は、実施例１のＥＤＣＡ優先制御部２４の処理手順を示す。ここでは、Ｍ台のアクセスポイント、Ｎ台の端末に拡張した場合を示す。
【００２６】
図４において、アクセスポイントＡＰ−ＸがＭ台の隣接するアクセスポイントＡＰ−Ｙに対し、以下の処理を一定時間ごとに実施する（Ｓ０）。なお、アクセスポイントＡＰ−Ｘに接続している端末をＳＴＡ−ｘとし、アクセスポイントＡＰ−Ｙに接続している端末をＳＴＡ−ｙとする。図１の構成との関係では、ＸをＡ（ｘはＡ）としたときにＹはＢ（ｙはＢ），Ｃ（ｙはＣ，Ｄ）となる。さらに、ＸをＢ（ｘはＢ）としたときにＹはＡ（ｙはＡ）となり、またＸをＣ（ｘはＣ，Ｄ）としたときにＹはＡ（ｙはＡ）となる。
【００２７】
アクセスポイントＡＰ−Ｘは、アクセスポイントＡＰ−Ｙが同一の周波数を利用しているかテーブル１に問合せを行う（Ｓ１）。アクセスポイントＡＰ−ＹがアクセスポイントＡＰ−Ｘと同一の周波数を使用していない場合、テーブル２を参照し、アクセスポイントＡＰ−Ｘに接続する端末ＳＴＡ−ｘのＭＡＣアドレスと、その端末ＳＴＡ−ｘの一定時間内の主な通信のアクセスカテゴリーおよびトラフィック量をテーブル３に登録する（Ｓ７）。
【００２８】
アクセスポイントＡＰ−ＹがアクセスポイントＡＰ−Ｘと同一の周波数を使用している場合には、アクセスポイントＡＰ−Ｘは、アクセスポイントＡＰ−Ｙに接続している端末ＳＴＡ−ｙが存在するかテーブル２に問合せを行う（Ｓ２）。アクセスポイントＡＰ−Ｙと接続している端末ＳＴＡ−ｙが存在しない場合、テーブル２を参照してステップＳ７の処理を行う。
【００２９】
アクセスポイントＡＰ−Ｙと接続している端末ＳＴＡ−ｙがＮ台存在する場合、Ｎ台の端末ＳＴＡ−ｙに対し、各々処理を実施する（Ｓ３）。
【００３０】
アクセスポイントＡＰ−Ｘは、アクセスポイントＡＰ−Ｙが端末ＳＴＡ−ｘの信号を認識できるかテーブル２に問合せを行う（Ｓ４）。アクセスポイントＡＰ−Ｙが端末ＳＴＡ−ｘの信号を認識できる場合、テーブル２を参照し、端末ＳＴＡ−ｘおよび端末ＳＴＡ−ｙのＭＡＣアドレスと、各端末の一定時間内の主な通信のアクセスカテゴリーおよびトラフィック量をテーブル３に登録する（Ｓ８）。
【００３１】
アクセスポイントＡＰ−Ｙが端末ＳＴＡ−ｘの信号を認識できない場合、アクセスポイントＡＰ−Ｘは、アクセスポイントＡＰ−Ｙの信号を認識できるか判断する（Ｓ５）。アクセスポイントＡＰ−ＸがアクセスポイントＡＰ−Ｙの信号を認識できる場合、テーブル２を参照してステップＳ８の処理を行う。なお、アクセスポイントＡＰ−ＸとＡＰ−Ｙは同一の装置構成であるため、アクセスポイントＡＰ−ＸがアクセスポイントＡＰ−Ｙの信号を認識できる場合は、逆のアクセスポイントＡＰ−ＹがアクセスポイントＡＰ−Ｘの信号を認識できることになる。
【００３２】
アクセスポイントＡＰ−ＸがアクセスポイントＡＰ−Ｙの信号を認識できない場合、アクセスポイントＡＰ−Ｘは、端末ＳＴＡ−ｙの信号を認識できるか判断する（Ｓ６）。アクセスポイントＡＰ−Ｘが端末ＳＴＡ−ｙの信号を認識できる場合、テーブル２を参照してステップＳ８の処理を行う。アクセスポイントＡＰ−Ｘが端末ＳＴＡ−ｙの信号を認識できない場合、テーブル２を参照してステップＳ７の処理を行う。
【００３３】
アクセスポイントＡＰ−Ｘでは、以上のステップＳ７またはステップＳ８の処理により、ＥＤＣＡ優先制御に関与する端末ＳＴＡのＭＡＣアドレスと、当該端末の一定時間内の主な通信のアクセスカテゴリーおよびトラフィック量がテーブル３に登録される。そして、テーブル３に登録されたアクセスカテゴリーごとの登録端末数とトラフィック量の積Ｄを算出し、その各優先度ごとの台数を基にＥＤＣＡの各パラメータＡＩＦＳ、ＣＷmax 、ＣＷmin を決定し、各パラメータを用いて通常のＥＤＣＡ手順に従った優先制御を行う（Ｓ９）。
【００３４】
アクセスポイントＡＰ−ＸにおけるＡＩＦＳは次のように決定される。
ＡＩＦＳ＝ａ×default AIFS／Ｄ        …(1) 
ここで、調整用係数ａはアクセスカテゴリーの優先度が高くなる従って小さな値となる。また、default AIFSはアクセスカテゴリーごとに規定される。
【００３５】
同様に、アクセスポイントＡＰ−ＸにおけるＣＷmax は次のように決定される。
ＣＷmax ＝２＾(log2(default CWmax＋1)×ｂ×Ｄ) −１      …(2) 
ここで、＾は羃乗を表す。調整用係数ｂはアクセスカテゴリーの優先度が高くなる従って小さな値となる。また、default CWmax はアクセスカテゴリーごとに規定される。
【００３６】
同様に、アクセスポイントＡＰ−ＸにおけるＣＷmin は次のように決定される。
ＣＷmin ＝２＾(log2(default CWmin＋1)×ｃ×Ｄ) −１      …(3) 
ここで、＾は羃乗を表す。調整用係数ｃはアクセスカテゴリーの優先度が高くなる従って小さな値となる。また、default CWmin はアクセスカテゴリーごとに規定される。
【００３７】
アクセスポイントＡＰ−Ｘは、以上のように算出したＥＤＣＡの各パラメータＡＩＦＳ、ＣＷmax 、ＣＷmin を用いて通常のＥＤＣＡ手順に従った優先制御を行い、一定時間経過ごとにステップＳ１〜Ｓ９の処理を繰り返す。アクセスポイントＡＰ−Ｙについても同様の処理を実施する。
【実施例２】
【００３８】
図５は、本発明の実施例２における無線ＬＡＮシステムの構成例を示す。
本実施例の無線ＬＡＮシステムは、実施例１において、各アクセスポイントが管理していたテーブル３をデータベース１１上で管理する構成である。これにより、ＥＤＣＡパラメータの算出をデータベース１１上で一括して実行することができる。
【００３９】
図６は、実施例２におけるアクセスポイント装置の構成例を示す。
図６において、アクセスポイントＡＰの無線ＬＡＮ通信処理部２２は、端末ＳＴＡおよび隣接するアクセスポイントＡＰが送信する信号を監視し、配下の端末ＳＴＡとの通信処理を行う。データベース通信処理部２３は、データベース１１との間で、登録および問合せの通信処理を行う。端末情報処理部２１は、アクセスポイントのＭＡＣアドレスと、使用周波数と、認識できる端末のＭＡＣアドレスと、認識できる端末の受信レベルと、認識できる端末の接続有無と、接続中の端末の主な通信のアクセスカテゴリーおよびトラフィック量を、データベース通信処理部２３を介してデータベース１１のテーブル１およびテーブル２に登録する処理を行う。
【００４０】
ＥＤＣＡ優先制御部２５は、データベース通信処理部２３を介してデータベース１１に登録情報を問い合わせ、同一の周波数を利用し、かつ、その通信エリアが重複しているアクセスポイントを判別し、当該アクセスポイントに接続している端末の主な通信のアクセスカテゴリーおよびトラフィック量を取得してデータベースのテーブル３に登録する。データベース１１は、各アクセスポイントごとに共有している端末の当該情報を用いてＥＤＣＡ優先制御のパラメータを算出し、算出したパラメータを各アクセスポイントに通知する。ＥＤＣＡ優先制御部２５は、データベース１１が算出したＥＤＣＡ優先制御のパラメータを受領し、ＥＤＣＡ優先制御を実行する。
【００４１】
図７は、実施例２のＥＤＣＡ優先制御部２５の処理手順を示す。
実施例１では、ステップＳ９において、各アクセスポイントＡＰ−Ｘがテーブル３に登録した端末ＳＴＡ−ｘ，ＳＴＡ−ｙの情報に基づいてＥＤＣＡパラメータを算出していた。実施例２では、ステップＳ７またはステップＳ８でアクセスポイントＡＰ−Ｘが端末ＳＴＡ−ｘ，ＳＴＡ−ｙの情報をデータベース１１のテーブル３へ登録する。データベース１１は、テーブル３に登録されたアクセスカテゴリーごとの登録端末数とトラフィック量の積Ｄを算出し、その各優先度ごとの台数を基にＥＤＣＡの各パラメータを算出し、アクセスポイントＡＰ−Ｘに通知する。そして、アクセスポイントＡＰ−Ｘは、通知されたＥＤＣＡパラメータを受領し、各パラメータを用いて通常のＥＤＣＡ手順に従った優先制御を行う（Ｓ10）。
【符号の説明】
【００４２】
１，２，３  テーブル
１１  データベース
２１  端末情報処理部
２２  無線ＬＡＮ通信処理部
２３  データベース通信処理部
２４，２５  ＥＤＣＡ優先制御部
ＡＰ  アクセスポイント
ＳＴＡ  端末
【図１】
0005356364.tif 000002
【図２】
0005356364.tif 000003
【図３】
0005356364.tif 000004
【図４】
0005356364.tif 000005
【図５】
0005356364.tif 000006
【図６】
0005356364.tif 000007
【図７】
0005356364.tif 000008
【図８】
0005356364.tif 000009